(57)【特許請求の範囲】
【請求項１】
開口部、吸引口、および格子を有するシーチェストにおいて、このシーチェスト内に紫外線照射手段を備え、前記格子の構成部材として装着した回転部材に、光触媒粉を混練した非耐紫外線性バインダーを用いて光触媒体を付着させたシーチェスト。
【請求項２】
回転部材に付着させる光触媒体は、表面層側における光触媒粉分散密度よりも、内層側における光触媒粉分散密度を高くした請求項１に記載のシーチェスト。
【請求項３】
非耐紫外線性バインダーとして有機樹脂バインダーを用いた請求項１または２に記載のシーチェスト。
【請求項４】
有機樹脂バインダーとして、アクリル樹脂、またはエポキシ樹脂を用いた請求項３に記載のシーチェスト。
【発明の詳細な説明】
【技術分野】
【０００１】
本発明は、シーチェストとそのクリーニング方法に関するものである。
【背景技術】
【０００２】
船舶の安定航行を行うために、港湾での荷物の積み降ろしに伴う重量変動に合わせて、バラスト水として港湾内の水が適宜取り込まれる。バラスト水は船舶の側面下方に設けられた海水取り込み口であるシーチェストから吸引される。港湾の水中には水生生物が多く存在するので、バラスト水を取り込む際にシーチェストの格子やシーチェストの内壁面に水生生物が付着する可能性がある。シーチェストの格子やシーチェストの内壁面に付着した水生生物がその場で増殖した場合、シーチェストの格子部分の開口面積やシーチェストの内容積が減少するのでバラスト水を吸引する際に流水抵抗となる。さらに増殖が進んだ場合においてはシーチェストの格子やシーチェストそのものが閉塞し、バラスト水を吸引できなくなる可能性もある。このような問題は船舶のシーチェストだけでなく、臨海部に建設された発電所の冷却水取水口など、自然界の水を配管等で取水して冷却等に利用する用途でも発生している。
【０００３】
そこで、シーチェストの格子やシーチェストの内壁面のように水生生物の付着を防止したい場所に対して表面処理を施すことにより、水生生物の付着を防止しようとする方法が提案されている（例えば下記特許文献１および非特許文献１参照）。
【先行技術文献】
【特許文献】
【０００４】
【特許文献１】特開平８−２２９５４９号公報
【非特許文献】
【０００５】
【非特許文献１】藤木ら    ２００９．海洋観測機器への生物付着防止法の検討．  ＪＡＭＳＴＥＣ  Ｒｅｐｏｒｔ  ｏｆ  Ｒｅｓｅａｒｃｈ  ａｎｄ  Ｄｅｖｅｌｏｐｍｅｎｔ．  ９（３）：  １−８．
【発明の概要】
【発明が解決しようとする課題】
【０００６】
特許文献１に示された海水導水路においては、臨海部に建設された発電所の導水路について水生生物の付着防止対策が示されている。導水路の内表面へ被覆した光触媒に対して光を照射することで、水生生物の付着を防止する構成となっている。
【０００７】
すなわち、光を照射された光触媒表面では水酸ラジカルなどの活性酸素種が生成される。活性酸素種は水生生物が付着する際に活用する足状の生体成分を分解するので、水生生物の付着を防止することができる。
【０００８】
しかしながら、非特許文献１に示されているように、光触媒を塗布したプレートを含む様々な付着防止処理を施したプレートを、海水中に長期間浸漬して水生生物の付着量を観察した実験では、光触媒を塗布したプレート表面にも水生生物の付着が確認されている。
【０００９】
そのような条件では、光触媒により生成された活性酸素種の働きが不十分な場合において、完全に分解することができなかった水生生物が有機系付着物として残留することで、光触媒の活性化に寄与する光を遮ってしまうので、活性酸素種の発生量が減少してしまい、さらに水生生物が付着しやすくなるという悪循環が発生し、水生生物の付着防止効果を持続することができないという課題があった。
【００１０】
また、海水はカルシウムやマグネシウムなど無機成分を多量に含有しており、炭酸カルシウムなどの無機系付着物が光触媒表面に残留することで光触媒の活性化に寄与する光を遮ってしまうので、活性酸素種の発生量が減少してしまい、水生生物が付着しやすくなり、水生生物の付着防止効果を持続することができないという課題があった。
【００１１】
そこで、本発明は上記課題を解決するものであり、水生生物の付着防止効果が長期間持続するシーチェストとそのクリーニング方法を提供することを目的とするものである。
【課題を解決するための手段】
【００１２】
そして、この目的を達成するために本発明は、開口部、吸引口、および格子を有するシーチェストにおいて、このシーチェスト内に紫外線照射手段を備え、格子の構成部材またはシーチェストの内壁面に剥離可能な状態で光触媒体を付着させた構成としたものであり、これにより所期の目的を達成するものである。
【発明の効果】
【００１３】
以上のように本発明は、開口部、吸引口、および格子を有するシーチェストにおいて、このシーチェスト内に紫外線照射手段を備え、格子の構成部材またはシーチェストの内壁面に剥離可能な状態で光触媒体を付着させた構成としたものであるので、水生生物の付着防止効果を長期間持続することができる。
【００１４】
すなわち、シーチェストからの海水の吸引に伴い光触媒体表面に付着した水生生物などのうち、光触媒体の作用で完全に分解できず残留してしまった水生生物や細菌類等の死骸などの有機系付着物や海水中に含まれるカルシウム由来で生成した炭酸カルシウムなどの無機系付着物を、表面の光触媒体ととともに剥離し、光触媒体の表面を常に新生面とすることができる。その結果、光触媒体により発生する活性化された水酸ラジカルによる水生生物の付着防止効果を高い状態で、長期間維持することができるという効果を得ることができる。
【図面の簡単な説明】
【００１５】
【図１】本発明の実施の形態１にかかるシーチェストを用いた船舶を示す斜視図
【図２】同船舶の要部正面図
【図３】同シーチェストの構造を示す概略斜視図
【図４】同シーチェストの格子に装着する回転部材を示す概略斜視図
【図５】同シーチェストの格子に装着する回転部材を示す概略拡大斜視図
【図６】同回転部材への光触媒粉の付着状態を示す要部拡大断面図
【図７】同回転部材への光触媒粉の付着状態を示す要部拡大断面図
【図８】同回転部材への光触媒粉の付着状態を示す要部拡大断面図
【図９】同回転部材への光触媒粉の付着状態を示す要部拡大断面図
【図１０】本発明の実施の形態２にかかるシーチェストの構造を示す概略斜視図
【図１１】同回転部材への光触媒粉の付着状態を示す要部拡大断面図
【図１２】同回転部材への光触媒粉の付着状態を示す要部拡大断面図
【図１３】同回転部材への光触媒粉の付着状態を示す要部拡大断面図
【図１４】同回転部材への光触媒粉の付着状態を示す要部拡大断面図
【図１５】本発明の実施の形態３にかかる光触媒粉の付着状態を示す概略図
【図１６】本発明の実施の形態４にかかる光触媒粉の付着状態を示す概略図
【図１７】同光触媒粉の付着状態を示す概略図
【図１８】本発明の実施の形態５にかかるシーチェストの概略図
【図１９】同内壁面への光触媒粉の付着状態を示す要部拡大断面図
【発明を実施するための形態】
【００１６】
本発明の請求項１記載のシーチェストは、格子の構成部材またはシーチェストの内壁面に剥離可能な状態で光触媒体を付着させた構成を有する。これにより、シーチェストからの海水の吸引に伴い光触媒体表面に付着した水生生物などのうち、光触媒体の作用で完全に分解できず残留してしまった水生生物や細菌類等の死骸などを、表面の光触媒体ととともに剥離し、光触媒体の表面を常に新生面とすることができる。その結果、光触媒体により発生する活性化された水酸ラジカルによる水生生物の付着防止効果を高い状態で、長期間維持することができるという効果を奏する。
【００１７】
また、回転部材を前記格子の構成部材として前記格子に装着するとともに、光触媒粉を混練した非耐紫外線性バインダーを用いて回転部材に光触媒体を付着させた構成にしてもよい。これにより、シーチェストからの海水の吸引に伴い格子の回転部材に付着した水生生物などのうち、光触媒体の作用で完全に分解できず残留してしまった水生生物や細菌類等の死骸などを、表面の光触媒体ととともに剥離し、光触媒体の表面を常に新生面とすることができる。その結果、光触媒体により発生する活性化された水酸ラジカルによる格子の回転部材への水生生物の付着防止効果を高い状態で、長期間維持することができるという効果を奏する。
【００１８】
また、回転部材に付着させる光触媒体は、表面層側における光触媒粉分散密度よりも、内層側における光触媒粉分散密度を高くした構成にしてもよい。これにより、シーチェストからの海水の吸引に伴い格子の回転部材に付着した水生生物などのうち、光触媒体の作用で完全に分解できず残留してしまった水生生物や細菌類等の死骸などを、表面の光触媒体ととともに剥離し、光触媒体の表面を常に新生面とし、さらには光触媒体を剥離することにより光触媒粉の分散密度が高くなる。その結果、紫外線照射手段の使用に伴う光量の低下に関わらず、光触媒体により発生する活性化された水酸ラジカルによる格子の回転部材への水生生物の付着防止効果を高い状態で、長期間維持することができるという効果を奏する。
【００１９】
また、光触媒粉を混練した非耐紫外線性バインダーによりシーチェストの内壁面に光触媒体を付着させた構成にしてもよい。これにより、シーチェストからの海水の吸引に伴いシーチェストの内壁面に付着した水生生物などのうち、光触媒体の作用で完全に分解できず残留してしまった水生生物や細菌類等の死骸などを、表面の光触媒体ととともに剥離し、光触媒体の表面を常に新生面とすることができる。その結果、光触媒体により発生する活性化された水酸ラジカルによるシーチェストの内壁面への水生生物の付着防止効果を高い状態で、長期間維持することができるという効果を奏する。
【００２０】
また、シーチェストの内壁面に付着させる光触媒体は、表面層側における光触媒粉分散密度よりも、内層側における光触媒粉分散密度を高くした構成にしてもよい。これによりシーチェストからの海水の吸引に伴いシーチェストの内壁面に付着した水生生物などのうち、光触媒体の作用で完全に分解できず残留してしまった水生生物や細菌類等の死骸などを、表面の光触媒体ととともに剥離し、光触媒体の表面を常に新生面とし、さらには光触媒体を剥離することにより光触媒粉の分散密度が高くなる。その結果、紫外線照射手段の使用に伴う光量の低下に関わらず、光触媒体により発生する活性化された水酸ラジカルによるシーチェストの内壁面への水生生物の付着防止効果を高い状態で、長期間維持することができるという効果を奏する。
【００２１】
また、非耐紫外線性バインダーとして有機樹脂バインダーを用いた構成にしてもよい。これによりシーチェストからの海水の吸引に伴い格子の回転部材やシーチェストの内壁面に付着した水生生物などのうち、光触媒体の作用で完全に分解できず残留してしまった水生生物や細菌類等の死骸などが、紫外線照射手段からの紫外線による作用や光触媒体により発生する水酸化ラジカルの作用により有機樹脂バインダーが分解されるのに伴い表面の光触媒体とともに剥離されるので、光触媒体の表面を常に新生面とすることができる。その結果、光触媒体により発生する活性化された水酸ラジカルによる格子の回転部材やシーチェストの内壁面への水生生物の付着防止効果を高い状態で、長期間維持することができるという効果を奏する。
【００２２】
また、有機樹脂バインダーとして、アクリル樹脂、またはエポキシ樹脂を用いた構成にしてもよい。これによりシーチェストからの海水の吸引に伴い格子の回転部材やシーチェストの内壁面に付着した水生生物などのうち、光触媒体の作用で完全に分解できず残留してしまった水生生物や細菌類等の死骸などが、紫外線照射手段からの紫外線による作用や光触媒体により発生する水酸化ラジカルの作用によりアクリル樹脂、またはエポキシ樹脂が分解されるのに伴い表面の光触媒体が剥離されるので、光触媒体の表面を常に新生面とすることができる。その結果、光触媒体により発生する活性化された水酸ラジカルによる格子の回転部材やシーチェストの内壁面への水生生物の付着防止効果を高い状態で、長期間維持することができるという効果を奏する。
【００２３】
また、光触媒粉を混練した耐紫外線性バインダーを用いて回転部材に光触媒体を付着させた構成にしてもよい。これにより、シーチェストからの海水の吸引に伴い格子の回転部材に付着した水生生物などのうち、光触媒体の作用で完全に分解できず残留してしまった水生生物や細菌類等の死骸などを、表面の光触媒体ととともに剥離し、光触媒体の表面を常に新生面とすることができる。その結果、光触媒体により発生する活性化された水酸ラジカルによる格子の回転部材への水生生物の付着防止効果を高い状態で、長期間維持することができるという効果を奏する。
【００２４】
また、光触媒粉を混練した耐紫外線性バインダーによりシーチェストの内壁面に光触媒体を付着させた構成にしてもよい。これにより、シーチェストからの海水の吸引に伴いシーチェストの内壁面に付着した水生生物などのうち、光触媒体の作用で完全に分解できず残留してしまった水生生物や細菌類等の死骸などを、表面の光触媒体ととともに剥離し、光触媒体の表面を常に新生面とすることができるので、この光触媒体により発生する活性化された水酸ラジカルによるシーチェストの内壁面への水生生物の付着防止効果を高い状態で、長期間維持することができるという効果を奏する。
【００２５】
また、光触媒粉について、アナタース型酸化チタンとフッ素とを含み、前記アナタース型酸化チタンとフッ素が化学結合している酸化チタン光触媒という構成にしてもよい。これにより、光触媒粉と非耐紫外線性バインダーまたは耐紫外線性バインダーと光触媒粉との結合が弱くなるので、光触媒体が容易に剥離されることとなる。したがって、シーチェストからの海水の吸引に伴い格子の回転部材やシーチェストの内壁面に付着した水生生物などのうち、光触媒体の作用で完全に分解できず残留してしまった水生生物や細菌類等の死骸などが表面の光触媒体とともに剥離されるので、光触媒体の表面を常に新生面とすることができる。その結果、光触媒体により発生する活性化された水酸ラジカルによる格子の回転部材やシーチェストの内壁面への水生生物の付着防止効果を高い状態で、長期間維持することができるという効果を奏する。
【００２６】
また、光触媒体を剥離する研磨剤の供給手段を備えた構成にしてもよい。これにより、シーチェスト内部に供給された研磨剤が光触媒体の表面に衝突する作用で光触媒体が容易に剥離されることとなる。したがって、シーチェストからの海水の吸引に伴い格子の回転部材やシーチェストの内壁面に付着した水生生物などのうち、光触媒体の作用で完全に分解できず残留してしまった水生生物や細菌類等の死骸などが表面の光触媒体とともに研磨剤により剥離されるので、光触媒体の表面を常に新生面とすることができる。その結果、光触媒体により発生する活性化された水酸ラジカルによる格子の回転部材やシーチェストの内壁面への水生生物の付着防止効果を高い状態で、長期間維持することができるという効果を奏する。
【００２７】
また、研磨剤を洗浄液とともにシーチェスト内部に流入させるクリーニング方法としてもよい。これにより、シーチェスト内部に供給された研磨剤が洗浄液とともに光触媒体の表面に衝突する作用で光触媒体が容易に剥離されることとなる。したがって、シーチェストからの海水の吸引に伴い格子の回転部材やシーチェストの内壁面に付着した水生生物などのうち、光触媒体の作用で完全に分解できず残留してしまった水生生物や細菌類等の死骸などが表面の光触媒体とともに研磨剤と洗浄剤の作用により剥離されるので、光触媒体の表面を常に新生面とすることができる。その結果、光触媒体により発生する活性化された水酸ラジカルによる格子の回転部材やシーチェストの内壁面への水生生物の付着防止効果を高い状態で、長期間維持することができるという効果を奏する。
【００２８】
また、バラスト水取水後にシーチェスト内部に研磨剤を洗浄液とともに流入させるクリーニング方法としてもよい。これにより、シーチェスト内部に供給された研磨剤が洗浄液とともに光触媒体の表面に衝突する作用で光触媒体が容易に剥離されることとなる。したがって、シーチェストからの海水の吸引に伴い格子の回転部材やシーチェストの内壁面に付着した水生生物などのうち、光触媒体の作用で完全に分解できず残留してしまった水生生物や細菌類等の死骸などが表面の光触媒体とともに研磨剤と洗浄剤の作用により剥離されるので、光触媒体の表面を常に新生面とすることができる。すなわち、バラスト水取水後にクリーニングを実施することで次回のバラスト水取水時には光触媒体の表面が新生面であることになる。その結果、光触媒体により発生する活性化された水酸ラジカルによる格子の回転部材やシーチェストの内壁面への水生生物の付着防止効果を高い状態で、長期間維持することができるという効果を奏する。
【００２９】
以下、本発明の実施の形態について、図面を参照しながら説明する。
【００３０】
（実施の形態１）
図１の１は、港２に係留されている船舶を示し、この船舶１の喫水線３の下方にはバラスト水を吸引するためのシーチェスト４が設けられている。
【００３１】
図２は前記船舶１のバラスト水の取り込み、排出経路を示している。
【００３２】
すなわち、船舶１内にバラスト水を取り込む場合には、まず船舶１内の切換弁５、をシーチェスト４側に切換え、切換弁７の吐出方向を流入口８側に切換え、次にポンプ９を駆動する。
【００３３】
すると、シーチェスト４から例えば海水が取水管６を通してバラスト水として流入し、その後、ポンプ９、流入口８を介してバラストタンク１０内に取り込まれる。
【００３４】
また、バラストタンク１０内のバラスト水を排出する場合には、切換弁５の吸引方向を流出口１１側に切換え、切換弁７の吐出方向をシーチェスト４側に切換え、次にポンプ９を駆動する。
【００３５】
すると、バラストタンク１０内のバラスト水は流出口１１から切換弁５、ポンプ９、切換弁７、取水管６を介してシーチェスト４から船舶１外に排出される。
【００３６】
図３はシーチェスト４の概略構造を示す斜視図である。このシーチェスト４は開口部１２と吸引口１３と格子１４および紫外線照射手段１５を備えており、格子１４には格子１４の構成部材として回転部材１６が装着されている。また、吸引口１３は取水管６に接続されている。回転部材１６の表面には光触媒体１７が付着されている。
【００３７】
図４は回転部材１６の概略構造を示している。回転部材１６は長手方向を回転軸として自由に回転する構造であり、軸受け部１８を介して格子１４と結合されている。
【００３８】
図５は回転部材１６の中央部分の概略構造を示している。羽根１９は回転部材１６と結合しており、回転部材１６の周囲を通過する水の作用により回転部材１６を回転させるものである。
【００３９】
図６は回転部材表面２０における光触媒体１７の付着状態を示す要部拡大断面図である。光触媒体１７は、回転部材表面２０に、光触媒粉２１を混練した非耐紫外線性バインダー２２（例えばアクリル樹脂、またはエポキシ樹脂等の有機樹脂バインダー）を付着させた構成とした。光触媒体１７の表面には無機系付着物２３および有機系付着物２４が付着している。
【００４０】
図７はバラスト水吸引時の回転部材表面２０における光触媒体１７の表面状態を示す要部拡大断面図である。バラスト水中に含まれる粒子状浮遊物２５が光触媒体１７の表面に衝突している状態を示している。
【００４１】
図８は回転部材表面２０における光触媒体１７の初期の表面状態を示す要部拡大断面図である。光触媒粉２１に分散密度に関して、表面層側における分散密度よりも内層側における分散密度のほうが高い状態を示している。
【００４２】
図９は回転部材表面２０における光触媒体１７の表面層が剥離された状態を示す要部拡大断面図である。
【００４３】
上記構成において図３に示すように、シーチェスト４から吸引されたバラスト水中に含まれる水生生物がシーチェストの格子１４やシーチェスト内部に付着する可能性がある。具体的にはフジツボやムラサキイガイなどの水生生物が格子やシーチェスト内部に付着し、その場で増殖した場合にはシーチェスト４の格子やシーチェストの内部または吸引口１３を閉塞する可能性がある。フジツボやムラサキイガイなどの水生生物は生体内から足の働きをする糸状のタンパク質を分泌することにより、壁面等静止物への付着手段としている。そこで本実施の形態では紫外線照射手段１５からの紫外線を受けた光触媒体１７により発生する活性化された水酸ラジカルにより、回転部材１６の表面に付着されている光触媒体１７の表面に付着した水生生物からの分泌物を分解し、水生生物の付着を防止するものである。
【００４４】
また、図３、図４および図５に示すように、回転部材１６は羽根１９の作用によりバラスト水吸引時に回転するので、シーチェスト４内部に設けられた紫外線照射手段１５からの紫外線を全面に受光することで光触媒体１７が活性化されるので回転部材１６の全面で水生生物の付着を防止することができる。
【００４５】
一方で、このようにシーチェストに対して水生生物の付着防止を行う場合、図６に示すように、光触媒体１７の表面には、無機系付着物２３（例えば炭酸カルシウム）や有機系付着物２４（例えば死滅した生物種の断片）が付着した状態となり、この状態では、継続使用時における光触媒体１７の水生生物付着防止効果が低いものとなる。
【００４６】
そこで、本実施の形態では、光触媒体１７は、上述のごとく、回転部材１６に、光触媒粉２１を混練した非耐紫外線性バインダー２２（例えばアクリル樹脂、またはエポキシ樹脂等の有機樹脂バインダー）を付着させた構成としているので、紫外線照射手段１５からの紫外線で劣化し、剥離しやすい状態となっている。
【００４７】
このため、図７のように、バラスト水吸引時にバラスト水中に浮遊している粒子状浮遊物２５の衝突により無機系付着物２３や有機系付着物２４が、非耐紫外線性バインダー２２の表面とともに簡単に剥離除去され、光触媒体１７の表面は新生面状態となる。粒子状浮遊物２５としては、水中に浮遊している砂や水生生物の外殻を構成する成分の破片など、紫外線の照射を受けて強度が低下した非耐紫外線性バインダー２２に衝突して剥離を促進できる形状や質量を有する粒子が想定される。
【００４８】
また、図８に示すように、光触媒体１７の表面層側に比べて内層側において光触媒粉２１の分散密度が高いので、光触媒体１７を表面から剥離することで剥離後の表面に存在する光触媒粉２１の分散密度を高めることができる。すなわち、前述したように光触媒体１７は紫外線照射手段１５の作用により活性化されるものであるが、長時間の運転動作により紫外線照射手段１５の紫外線照射光量が低下して光触媒体１７の活性が低下する場合においても、光触媒体１７を剥離することで光触媒体１７の表面に存在する光触媒粉２１の分散密度を高めて、光触媒体１７の活性の低下を補填することができるものである。つまり図８で示す光触媒体１７の表面に存在する光触媒粉２１よりも図９の光触媒体１７の表面に存在する光触媒粉２１の方が多いので、紫外線照射光量が低下しても光触媒体１７の活性を長期間維持することができる。
【００４９】
なお、本実施の形態では、紫外線照射手段１５の構造について詳細を示さなかったが、光触媒体１７に含まれる光触媒粉２１を励起状態に活性化して水酸ラジカル等を生成することができる波長の紫外線を照射する手段であればどのような光源を用いてもよい。例えば波長が２５４ｎｍの紫外線を放射する低圧水銀ランプや高圧水銀ランプ、波長が３６５ｎｍの紫外線を照射するブラックライトやＬＥＤなどの光源であっても同様の効果を得ることができる。
【００５０】
また、本実施の形態では、回転部材１６を円筒形の部材として図示したが、この形状に限ったものではなく、四角柱や六角柱など平面的な表面を有する部材で構成しても良い。水流を利用して回転することにより紫外線照射手段１５からの紫外線を均一に受光できるような構造であれば同様の効果を得ることができる。
【００５１】
（実施の形態２）
図１０にシーチェスト４の概略斜視図を示す。シーチェストの内壁面２６に紫外線照射手段１５から紫外線が照射されている。図１１、図１２、図１３および図１４にシーチェストの内壁面２６の表面状態を要部拡大断面図で示す。なお、実施の形態１と同様の構成要素については同一の符号を付し、その詳細な説明は省略する。
【００５２】
上記構成において実施の形態１との違いは光触媒体１７がシーチェストの内壁面２６に付着されていることである。本実施の形態では実施の形態１と同様に光触媒体１７が適宜剥離されることによりシーチェストの内壁面２６における水生生物の付着防止効果を長期間維持することができるものである。すなわち光触媒体１７の表面に付着した無機系付着物２３や有機系付着物２４を非耐紫外線性バインダー２２とともに剥離することで、光触媒体１７の表面を新生面状態とすることができ光触媒体１７の活性を長期間維持することができる。
【００５３】
また、図１３で示す光触媒体１７の表面に存在する光触媒粉２１よりも図１４の光触媒体１７の表面に存在する光触媒粉２１の方が多いので、光触媒体１７を剥離することで光触媒体１７の表面に存在する光触媒粉２１の分散密度を高めて、紫外線照射手段１５の紫外線照射量低下に伴う光触媒体１７の活性の低下を補填することができ光触媒体１７の活性を長期間維持することができる。
【００５４】
（実施の形態３）
図１５において光触媒粉２１と非耐紫外線性バインダー２２との結合状態を概略図で示す。光触媒粉２１は酸化チタンであり非耐紫外線性バインダーはアクリル樹脂である。実施の形態１および実施の形態２と同様の構成要素については同一の符号を付し、その詳細な説明は省略する。
【００５５】
図１５に示すように非耐紫外線性バインダー２２として有機樹脂バインダーとしてのアクリル樹脂を用いて光触媒粉２１を固定化することができる。実施の形態１および実施の形態２で示すように、非耐紫外線性バインダーは紫外線の照射により劣化して剥離されるものであり、光触媒体の表面を新生面状態とすることができるものである。
【００５６】
なお、本実施の形態では有機樹脂バインダーとしてアクリル樹脂を用いるものとしたが、この構成に限ったものではなく、エポキシ樹脂など紫外線により劣化することで剥離される有機樹脂バインダーであれば同様の効果を得ることができる。
【００５７】
（実施の形態４）
図１６において光触媒粉２７と耐紫外線性バインダー２８との結合状態を概略図で示す。光触媒粉２７はフッ素が酸化チタンに化学結合しているものである。耐紫外線性バインダー２８はシリカである。図１７において光触媒粉２７と非耐紫外線性バインダー２２との結合状態を概略図で示す。実施の形態１から３と同様の構成要素については同一の符号を付し、その詳細な説明は省略する。
【００５８】
図１６に示すように耐紫外線性バインダー２８としてシリカを用いて光触媒粉２７を固定化することができる。フッ素が酸化チタンに化学結合している光触媒粉２７はフッ素を含まない光触媒粉と異なり、耐紫外線性バインダー２８との結合力が弱まっている。つまり通常の光触媒粉の表面に存在する水酸基がフッ素と置き換わっていることから、バインダーとの結合に関与しないフッ素が多い光触媒粉２７は耐紫外線性バインダー２８との結合が弱くなっているものである。
【００５９】
同様に図１７に示すように、非耐紫外線性バインダー２２と光触媒粉２７の結合もフッ素が含まない光触媒粉２１との結合に比べその結合状態が弱くなっているものである。つまり、実施の形態１および実施の形態２で示すように、海水中に含まれる粒子状浮遊物２５の衝突により光触媒体が剥離されるものであり、結合状態の弱い本実施の形態においては容易に光触媒体が剥離されるので、表面を容易に新生面状態とすることができるものである。
【００６０】
（実施の形態５）
図１８に研磨剤の供給手段２９を備えたシーチェストの概略図を示す。洗浄液保管タンク３０の一部を透視図として示している。洗浄液保管タンク３０には洗浄液３３と研磨剤３４が混合して保管されている。図１９にシーチェストの内壁面２６において研磨剤３４の作用により光触媒体１７が剥離される状態を概略図により示す。実施の形態１から４と同様の構成要素については同一の符号を付し、その詳細な説明は省略する。
【００６１】
上記構成において研磨剤３４は洗浄液３３とともに洗浄液保管タンク３０に保管されており、ポンプである供給手段２９の作用によりシーチェスト４の内部に供給される。なお、シーチェスト４と洗浄液保管タンク３０、供給手段２９、流路開閉手段３２は配管３１により結合されており、流路開閉手段３２を開いた状態で供給手段２９を運転させると、研磨剤３４は洗浄液３３とともにシーチェスト４の内部と洗浄液保管タンク３０を循環するものである。
【００６２】
実施の形態１から４では、海水中の粒子状浮遊物２５が衝突することで光触媒体１７の表面が適宜剥離されるものとしたが、本実施の形態ではバラスト水の取水後に研磨剤３４を循環させることで光触媒体１７の表面を適宜剥離し新生面の状態とするものである。すなわち本実施の形態で示すように、研磨剤３４を用いる方法であれば海水中の粒子状浮遊物２５が少ない場合や無機系付着物２３または有機系付着物２４が多い場合において、剥離を促進させることが可能である。また供給手段２９の運転状態により剥離の効果を可変させることも可能であり、光触媒体１７の表面を効率的に新生面とすることができる。
【００６３】
また本実施の形態では洗浄液３３とともに研磨剤３４を同時使用する構成としたが、洗浄液３３による洗浄作用と研磨剤３４の剥離作用を併用することによる相乗効果を得ることができる。洗浄液３３として界面活性剤を用いた場合には洗浄液３３が有機系付着物２４に効果的に作用し、研磨剤３４は無機系付着物２３を効率良く剥離することができるものである。
【００６４】
研磨剤３４の組成としては炭酸カルシウムやシリカの微粒子が想定されるがそれに限定されるものではなく、光触媒体１７の表面を研磨することができ、紫外線照射手段１５の表面への影響を与えない程度の硬度を有する固形成分であれば同様の効果を得ることができる。
【００６５】
また洗浄液３３の組成としては界面活性剤としたがそれに限定されるものではなく、無機系付着物２３または有機系付着物２４の付着力を緩和する作用を有する洗浄液であれば同様の効果を得ることができる。
【産業上の利用可能性】
【００６６】
以上のように本発明のシーチェストとそのクリーニング方法は、開口部、吸引口および格子を有するシーチェストにおいて、このシーチェスト内に紫外線照射手段を備え、格子の構成部材またはシーチェストの内壁面に剥離可能な状態で光触媒体を付着させた構成としたものであるので、格子やシーチェストの内壁面への水生生物の付着防止効果を高い状態で、長期間維持することができるという効果を得ることができるものとなる。
【００６７】
したがって、船舶のシーチェストだけでなく、臨海部に設置された発電所の冷却水取水口など水生生物の付着を防止したい表面に対しても同様の処理を施すことにより、水生生物の付着を防止する構造としての活用が期待される。
【符号の説明】
【００６８】
１    船舶
２    港
３    喫水線
４    シーチェスト
５    切換弁
６    取水管
７    切換弁
８    流入口
９    ポンプ
１０  バラストタンク
１１  流出口
１２  開口部
１３  吸引口
１４  格子
１５  紫外線照射手段
１６  回転部材
１７  光触媒体
１８  軸受け部
１９  羽根
２０  回転部材表面
２１  光触媒粉
２２  非耐紫外線性バインダー
２３  無機系付着物
２４  有機系付着物
２５  粒子状浮遊物
２６  内壁面
２７  光触媒粉
２８  耐紫外線性バインダー
２９  供給手段
３０  洗浄液保管タンク
３１  配管
３２  流路開閉手段
３３  洗浄液
３４  研磨剤
【図１】
0005899410.tif 000002
【図２】
0005899410.tif 000003
【図３】
0005899410.tif 000004
【図４】
0005899410.tif 000005
【図５】
0005899410.tif 000006
【図６】
0005899410.tif 000007
【図７】
0005899410.tif 000008
【図８】
0005899410.tif 000009
【図９】
0005899410.tif 000010
【図１０】
0005899410.tif 000011
【図１１】
0005899410.tif 000012
【図１２】
0005899410.tif 000013
【図１３】
0005899410.tif 000014
【図１４】
0005899410.tif 000015
【図１５】
0005899410.tif 000016
【図１６】
0005899410.tif 000017
【図１７】
0005899410.tif 000018
【図１８】
0005899410.tif 000019
【図１９】
0005899410.tif 000020